(57)【要約】【課題】使用中は破損し難く、廃棄時には情報読み出し機能を容易に失わせて機密性を確保することが出来る非接触認識装置（ＲＦＩＤ）を備えたシート状製品を得る。【解決手段】情報を記憶可能な記憶部、及び近接無線通信を可能とする通信回路を含む非接触認識装置本体部と、アンテナ配線とを備えた非接触認識装置をシート材に配してなるシート状製品（例えばチケットや書類）であって、非接触認識装置本体部とアンテナ配線とを、別個の基板にそれぞれ設け、シート材の異なる領域部分にそれぞれ配し、シート材に配した導電性部材により電気的に接続する。非接触認識装置本体部をシート材の一端に設け、アンテナ配線をシート材の他端に設けることが望ましい。シート材の破断を誘導可能な破断誘導部（ミシン目）をシート材に設け、導電性部材を破断誘導部と交差するように設ける。導電性部材は、例えば導電性インクを用いて印刷して形成する。【選択図】図１
2006099535.tif 000002
【特許請求の範囲】
【請求項１】
情報を記憶可能な記憶部および通信回路を含む非接触認識装置本体部と、アンテナ配線とを備えた非接触認識装置をシート材に配してなるシート状製品であって、
前記非接触認識装置本体部と、前記アンテナ配線とを、別個の基板にそれぞれ設けるとともに、
前記非接触認識装置本体部と、前記アンテナ配線とを、前記シート材の異なる領域部分にそれぞれ配し、
前記非接触認識装置本体部と前記アンテナ配線とを、前記シート材に配した導電性部材により電気的に接続した
ことを特徴とするシート状製品。
【請求項２】
前記非接触認識装置本体部を前記シート材の一端部に設け、
前記アンテナ配線を前記シート材の他端部に設けた
ことを特徴とする請求項１に記載のシート状製品。
【請求項３】
前記シート材の破断を誘導可能な破断誘導部を備え、
前記導電性部材は、前記破断誘導部と交差するように前記シート材に設けられている
ことを特徴とする請求項１または２に記載のシート状製品。
【請求項４】
前記導電性部材を、前記シート材に印刷可能な導電性材料により形成した
ことを特徴とする請求項１から３のいずれか一項に記載のシート状製品。
【請求項５】
前記アンテナ配線を形成する基板が、可撓性を有する基板である
ことを特徴とする請求項１から４のいずれか一項に記載のシート状製品。
【発明の詳細な説明】
【技術分野】
【０００１】
本発明は、非接触認識装置を備えたシート状製品に係り、特にＲＦＩＤのような非接触型ＩＣタグを備えたシート状製品の情報読み出し機能を簡易に喪失させることが出来るようにすることにより、セキュリティ性を向上させる技術に関する。
【背景技術】
【０００２】
ＩＣ技術の進歩により、ＲＦＩＤ（Radio Frequency Identification／電波方式認識）あるいはＩＣタグと称される、近接無線交信を使用する非接触型の認識装置が開発され、近年利用されつつある。かかる非接触認識装置（以下、単にタグと称することもある）は、一般に、通信回路とメモリを内蔵するＩＣチップと、アンテナとを備えており、ホスト装置（リーダライタ）と至近距離で無線交信を行うことにより、メモリ内の情報を読み出しあるいはメモリ内に情報を書き込むことが可能である。
【０００３】
非接触認識装置の利用形態としては、例えばチケットにタグを取り付け、正規のチケットか否か判定を行ったり（下記特許文献１参照）、病院のカルテや個人情報を記載した書類、包装材など各種のシート状製品にタグを取り付け、当該シートに記載された情報を含め、様々な情報をメモリ内に格納する場合がある。
【０００４】
このようなシート状製品にタグを設ける場合には、通常、肉薄の基板上に成膜技術を試用してアンテナ配線を作成しＩＣを実装して、それをシートの表面や内部に固定するが（下記特許文献２，３参照）、アンテナ配線を印刷によりシート材に直接形成する方法も知られている（下記特許文献４参照）。
【０００５】
【特許文献１】特開２０００−３２６６７２号公報
【特許文献２】特開２００２−１２０４７５号公報
【特許文献３】特開２００２−３３７４８２号公報
【特許文献４】特開２００３−１５５０６２号公報
【発明の開示】
【発明が解決しようとする課題】
【０００６】
ところで、一般に個人情報などの秘密情報が入った書類を破棄する場合には、書類に記載された内容を判読できないように細かく手で破き、あるいはシュレッダにかけて書類を裁断することが広く行われている。
【０００７】
ところが、上記のようなタグを備えたシートにあっては、タグ内の情報が廃棄後においてもそのまま容易に読み出せることが少なくなく、従来のタグを付したシート状製品には、機密保持性に欠けるという問題がある。
【０００８】
なぜなら、上記のようにシートに設けられたタグは、基板上に設けたＩＣとアンテナ等からなるため、シート（例えば紙）の再生上の理由から、あるいは刃を傷めるという機器上の理由から、シュレッダによる廃棄が出来ないことも多いからである。
【０００９】
また、人が手で破る場合には、タグの基板は紙よりも硬いため、タグ部分は破れず、そのまま残る可能性が高い。書類は細かく破かれても、破り捨てた紙片にはタグがそのまま残り、廃棄前と全く同様に情報を読み出すことが出来てしまうのである。
【００１０】
一方、上記非接触認識装置におけるアンテナ配線はその構造上、線路の一部が立体的に交差する部分を通常有しており、アンテナ配線を印刷により形成する場合、この交差部分の形成が煩雑で、製造コストを上昇させる原因となる。さらに、このような交差部分を有する配線をシート状製品に直接印刷して形成すると、当該交差部分がシート材の撓みに追従することが出来ず、当該シート状製品の使用中にアンテナ配線が破損し、実用性に欠ける難もある。
【００１１】
したがって、本発明の目的は、使用中は破損し難く、廃棄時には情報読み出し機能を容易に失わせて機密性を確保することが可能な非接触認識装置を備えたシート状製品を提供することにある。
【課題を解決するための手段】
【００１２】
前記目的を達成して課題を解決するため、本発明に係るシート状製品は、情報を記憶可能な記憶部および通信回路を含む非接触認識装置本体部と、アンテナ配線とを備えた非接触認識装置をシート材に配してなるシート状製品であって、前記非接触認識装置本体部と、前記アンテナ配線とを、別個の基板にそれぞれ設けるとともに、前記非接触認識装置本体部と、前記アンテナ配線とを、前記シート材の異なる領域部分にそれぞれ配し、前記非接触認識装置本体部と前記アンテナ配線とを、前記シート材に配した導電性部材により電気的に接続したことを特徴とする。
【００１３】
本発明のシート状製品では、非接触認識装置本体部とアンテナ配線は、それぞれ基板上に形成されるため、シート材が折り曲げられても非接触認識装置本体部とアンテナ配線とを破損から保護することができ、屈曲に対する強度を十分に確保することが出来る。
【００１４】
一方、非接触認識装置本体部とアンテナ配線とを接続する線路となる導電性部材は、シート材に直接形成しても構造が単純なため、シート材を屈曲させたときにも破損し難い。
【００１５】
他方、この線路部分（導電性部材）は、基板上でなくシート材に直接形成したものであるから、シート材と一緒に破って容易に切断することが出来る。したがって、当該シート状製品がその役割を終えたときに人手により簡単に破って非接触認識装置本体部とアンテナ配線との接続を切断し、これにより廃棄時に、当該非接触認識装置の情報読み出し機能を喪失させ、前記記憶部内に格納された情報を保護することが可能となる。
【００１６】
尚、非接触認識装置には、情報の読み出しと書き込みの両方が可能なタイプ、１回だけ書き込み可能な追記タイプ、並びに、読み出しのみが可能なリード専用タイプの３種類の形式があるが、本発明にいう上記非接触認識装置は、これらいずれのタイプをも含むものである。
【００１７】
シート状製品は、様々なものがあり特に限定されない。一例を挙げれば、チケット・クーポン券・入場券・割引券・商品券・各種サービス券のようなチケット類、あるいはカルテや個人情報書類、社内文書のような文書類、そのほか何らかの情報を含むシート状物品が含まれ、本発明はこれらに対し広く適用することが可能である。
【００１８】
さらにシート材の種類（材質）は、典型的には、紙であるが、他の素材であっても良い。例えば、樹脂フィルムや布、２種類以上の材料により形成された複合シート材等が含まれる。また、シート材の形状やサイズ等についても特に限定はなく、様々な形状・サイズのものであって構わない。
【００１９】
前記非接触認識装置本体部およびアンテナ配線のシート材への配置位置は、非接触認識装置本体部をシート材の一端部に設け、アンテナ配線をシート材の他端部に設けることが望ましい。
【００２０】
書類のようなシートを破って廃棄する場合には、通常、まずシートの両端を手で持ってシート中央部を破くことが多いからである。上記配置によれば、意識的に破く場合だけでなく、たとえ無意識に書類等を破って廃棄した場合にあっても、導電性部材が切断され、非接触認識装置に格納された情報の機密性が保護されやすくなる。
【００２１】
また、上記シート状製品は、前記シート材の破断を誘導可能な破断誘導部を備え、前記導電性部材が、当該破断誘導部と交差するように前記シート材に設けられていても良い。
【００２２】
このようなシート構造によれば、当該シート状製品を破り捨てるときに、破断誘導部に誘導されてシート材が破断され、これに伴い破断誘導部と交差する導電性部材が切断されて非接触認識装置の情報読み出し機能を容易に喪失させることが出来る。また、シート状製品として例えばチケットを構成する場合には、チケット本体と半券との間に設けられた破断誘導部（いわゆるミシン目等）と交差するように前記導電性部材を設けることで、半券を切り離したときに同時にこの導電性部材が切断され、情報読み出し機能を喪失させるようにすることが出来る。したがって、チケットの不正な再使用を防ぐことも可能となる。
【００２３】
上記破断誘導部は、例えば、シート材を貫通する複数の小孔を配列させてなる線状部（いわゆるミシン目等）を形成し、あるいはシート材に溝や折り目を形成するなど、他の部分より強度を低下させた部分（低強度部）をシート材に設けることにより形成することが出来る。
【００２４】
ただし、本発明の破断誘導部は、必ずしも上記低強度部のみに限定されるものではなく、当該シート状製品を扱う者に対して破断位置を表示する記載（例えば直線や破線等をシート材表面に単に印刷したもの）をも含む。例えばチケットでは、実際にミシン目が入れられたものだけでなく、単に切り取り表示線が印刷されただけのものも少なくなく、このような切り取り表示線も、上記低強度部によって構成された破断誘導部と同様に、導電性部材の切断を促すことが出来るからである。
【００２５】
前記導電性部材は、前記シート材に印刷可能な導電性材料により形成されていても良い。
【００２６】
シート状製品には、その種類・用途に応じて様々な印刷がなされることがあるが、上記構成によれば、当該印刷工程において導電性部材を一緒に印刷して（一般的な印刷工程で）形成することが可能となる。尚、上記「シート材に印刷可能な導電性材料」とは、具体的には、印刷工程で使用可能な導電性ペーストまたは導電性インクを意味する。
【００２７】
また、アンテナ配線は、一般に非接触認識装置本体部に較べ形成面積が大きくなる。したがって、シート状製品の使用（撓み）を妨げることがないよう特にアンテナ配線を形成する基板は、可撓性を有する基板とすることが望ましい。
【発明の効果】
【００２８】
本発明によれば、非接触認識装置の情報読み出し機能を簡単に失わせることができ、非接触認識装置を備えたシート状製品の機密保持性を高めることが可能となる。
【００２９】
本発明の他の目的、特徴および利点は、以下の本発明の実施の形態の説明により明らかにする。
【発明を実施するための最良の形態】
【００３０】
以下、添付図面を参照しつつ本発明の実施の形態を説明する。尚、各図中、同一の符号は、同一又は相当部分を示す。
【００３１】
図１は、本発明の第一の実施形態に係るシート状製品を示すもので、シート状製品としてチケットを構成したものである。
【００３２】
同図に示すようにこのチケット１は、チケット紙片２の裏面に非接触認識装置（ＲＦＩＤ）１１を配したもので、チケット紙片２は、切り取り線（いわゆるミシン目）３を介して一体となったチケット本体２ａと半券２ｂとからなる。また、非接触認識装置（ＲＦＩＤ）１１は、ＩＣチップ１５と、アンテナ１２とを備え、これらＩＣチップ１５とアンテナ１２とをチケット紙片２の裏面に配した導電性部材４ａ，４ｂにより電気的に接続してなる。
【００３３】
また、ＩＣチップ１５はチケット本体２ａ側に、アンテナ１２は半券２ｂ側にそれぞれ貼付してあり、したがってＩＣチップ１５とアンテナ１２を接続する導電性部材４ａ，４ｂは、切り取り線３と交差することとなる。導電性部材４ａ，４ｂは、導電性インクにより形成する。
【００３４】
尚、チケット紙片２自体は、従来から使用されている通常の紙製のチケットと同様のものを使用することが出来る。切り取り線３は、紙片２を貫通する多数の孔が配列されたいわゆるミシン目であっても良いし、単に印刷された破線や実線等であっても構わない。
【００３５】
図２は、ＲＦＩＤ１１を拡大して示すものである。アンテナ１２は、例えばポリエチレンテレフタレート、ポリエチレンナフタレートまたはポリイミド等の可橈性を有する基材１３上にめっき、スパッタまたはＣＶＤ等の成膜技術を用いてアンテナ配線１４と、アンテナ端子１４ａ，１４ｂを形成したものである。尚、アンテナ配線１４は、アンテナ端子１４ｂを引き出すため、一部立体的に交差させる必要があるが、当該交差部分は、短絡しないよう絶縁性を確保した多層構造とする。
【００３６】
一方、ＩＣチップ１５は、従来から知られたＲＦＩＤが有する機能を実現するための諸回路を内蔵している。具体的には、情報を記憶する記憶部として半導体メモリを、またリーダライタまたはリーダ（以下、単にリーダライタという）と近接無線通信を行うための通信回路として、発振回路、変復調回路、ＲＦ回路および制御回路等をそれぞれ備えている。動作用の電力は、リーダライタが供給する電力をアンテナ配線３が受け取ることにより供給される。また、ＲＦＩＤ１に電力供給源を有して、リーダライタからの電力供給によらず動作するものであっても良い。
【００３７】
ＲＦＩＤ１１は、情報の読み出しと書き込みの両方が可能なタイプ、１回だけ書き込み可能な追記タイプ、あるいは、読み出しのみが可能なリード専用タイプのいずれのタイプであっても良い。
【００３８】
図３は、図１のＸ−Ｘ線断面図である。本実施形態では、チケット本体２ａの裏面にＩＣチップ１５を、半券２ｂの裏面にアンテナ１２を貼り付けてある。尚、図示の例とは逆に、アンテナ１２をチケット本体２ａ側に、ＩＣチップ１５を半券２ｂ側に設けるようにしても良い。導電性部材４ａは、アンテナ１２のアンテナ端子１４ａとＩＣチップ１５のＩＣチップ端子１５ａを接続するようにチケット裏面に印刷してある。また、同様に導電性部材４ｂを、アンテナ１２のアンテナ端子１４ｂとＩＣチップ１５のＩＣチップ端子１５ｂを接続するようにチケット裏面に印刷してある（図３では図示せず／図２参照）。
【００３９】
本実施形態のチケット１は、このように構成されているから、切り取り線３の位置でチケット１を破り、チケット本体２ａと半券２ｂを切り離すと、導電性部材４ａ，４ｂが切断され、これによりＲＦＩＤ１１の情報読み出し機能を喪失させることが出来る。したがって、チケット１の不正な再使用を防ぐことが可能となる。
【００４０】
図４は、上記第一実施形態の変形例に係るシート状製品を示すものである。この変形例は、上記第一の実施形態と同様にチケットを構成したものであるが、チケット紙片（チケット本体２ａおよび半券２ｂ）が二層構造となっており、層間にアンテナ（基板１３上に形成したアンテナ配線１４）とＩＣチップ１５を挟み込んだ構造となっている。
【００４１】
また、図５に拡大して示すように、チケット本体２ａと半券２ｂの裏面側（図４の上側）の層では、アンテナ端子１４ａとＩＣチップ端子１５ａに相当する部位に開口部２ｃを形成する。チケット紙片裏面に配する導電性部材により、開口部２ｃを通じてアンテナ端子１４ａとＩＣチップ端子１５ａとを接続できるようにするためである。尚、図５では導電性部材４ａは省略してある。
【００４２】
そして、導電性インクを用いてチケット紙片の裏面に導電性部材４ａ，４ｂを印刷して形成し、上記開口部２ｃを通じてアンテナ端子１４ａとＩＣチップ端子１５ａ、並びにアンテナ端子１４ｂとＩＣチップ端子１５ｂをそれぞれ接続することによりＩＣチップ１５とアンテナ１２を接続する。このように開口部２ｃを通じた接続構造とすれば、二層間（紙片内部）に導電性部材を印刷する必要がなく、アンテナ１２とＩＣチップ１５を挟み込んだ状態で、チケット１の表面に一般的な印刷をするときに導電性部材４ａ，４ｂを同時に印刷することが可能となる。
【００４３】
図６は、本発明の第二の実施形態に係るシート状製品を示すものである。この実施形態は、書類を構成したもので、同図に示すように書類２１は、書類紙片２２の裏面にアンテナ１２とＩＣチップ１５を貼り付け、これらアンテナ１２とＩＣチップ１５を導電性インクからなる導電性部材４ａ，４ｂにより電気的に接続したものである。
【００４４】
アンテナ１２、ＩＣチップ１５および導電性部材４ａ，４ｂの各構成は、前記第一の実施形態と同様であるが、本実施形態では、書類紙片２２の長辺方向について一方の端部にアンテナ１２を、他方の端部にＩＣチップ１５をそれぞれ配置してある。このように紙片２２の両端部にアンテナ１２とＩＣチップ１５とを振り分けて配置しておけば、書類２１を破り捨てるときに容易に（特に意識しなくても）導電性部材４ａ，４ｂが切断されることとなり、ＲＦＩＤの情報読み出し機能を喪失させることが出来る。
【００４５】
尚、かかる紙片においては、アンテナ１２とＩＣチップ１５とを、短辺方向の両端部、あるいは対角線方向の両端部に設けるようにしても良い。
【００４６】
以上、図面に基づいて本発明の実施の形態について説明したが、本発明はこれらに限定されるものではなく、特許請求の範囲に記載の範囲内で種々の変更を行うことができることは当業者に明らかである。
【図面の簡単な説明】
【００４７】
【図１】本発明の第一の実施形態に係るシート状製品（チケット）を示す平面図である。
【図２】前記第一実施形態に係るシート状製品が備える非接触認識装置（ＲＦＩＤ）を拡大して示す平面図である。
【図３】図１のＸ−Ｘ線断面図である。
【図４】前記第一実施形態の変形例を示す断面図である。
【図５】図４のＡ部分を拡大して示す図である。
【図６】本発明の第二の実施形態に係るシート状製品（書類）を示す平面図である。
【符号の説明】
【００４８】
１  シート状製品（チケット）
２  チケット紙片
２ａ  チケット本体
２ｂ  半券
２ｃ  開口部
３  切り取り線（ミシン目）
４ａ，４ｂ  導電性部材
１１  非接触認識装置（ＲＦＩＤ）
１２  アンテナ
１３  基板
１４  アンテナ配線
１４ａ，１４ｂ  アンテナ端子
１５  ＩＣチップ
１５ａ，１５ｂ  ＩＣチップ端子
２１  シート状製品（書類）
２２  書類紙片
【図１】
2006099535.tif 000003
【図２】
2006099535.tif 000004
【図３】
2006099535.tif 000005
【図４】
2006099535.tif 000006
【図５】
2006099535.tif 000007
【図６】
2006099535.tif 000008